(57)【要約】      （修正有）【課題】光ディスクドライブを搭載したコンテンツ配信装置が複数の再生装置から光ディスク内コンテンツを要求された際に、Ｓｅｅｋ処理を頻繁に発生させずに安定したコンテンツ配信を可能とする。【解決手段】コンテンツ配信装置１００は光ディスクドライブ１０１に装填された光ディスクに記録されたコンテンツの第一のコンテンツ配信要求に対し、該コンテンツをコンテンツ受信装置１０３、１０４へ配信中に、該光ディスク内のコンテンツに対する第２の配信要求を受信した場合、第２のコンテンツ配信要求に対するコンテンツ配信は行わない。または、コンテンツ配信装置１００は光ディスクドライブ１０１に装填された光ディスクに記録されたコンテンツをコンテンツ受信装置１０３、１０４へ配信中に、コンテンツ受信装置１０３、１０４からコンテンツリスト取得要求を受信した場合、作成するコンテンツリストには光ディスクに記録されたコンテンツは含めない。【選択図】図２
2012138145.tif 000002
【特許請求の範囲】
【請求項１】
少なくとも再生動作が可能な光ディスク装置及び光ディスク以外のランダムアクセス再生可能な記録媒体を搭載するコンテンツ配信装置であって、
ネットワークを介して接続されるコンテンツ受信装置から送信されるコンテンツリスト取得要求に対して、該光ディスク装置内に設置された光ディスク内および該光ディスク以外の記録媒体内に存在するコンテンツの一覧を生成・送信するコンテンツリスト生成・送信手段と、
該コンテンツ受信装置から送信されるコンテンツ配信要求に対して、該当するコンテンツを該光ディスク装置内に設置された光ディスク内および該光ディスク以外の記録媒体内から探索し、該コンテンツ受信装置へ配信するコンテンツ配信手段を持つ事を特徴としたコンテンツ配信装置。
【請求項２】
請求項１に記載のコンテンツ配信装置であって、
前記コンテンツ受信装置から送信される第１のコンテンツ配信要求に対し、前記コンテンツ配信手段によって光ディスク内のコンテンツを配信中に、
前記コンテンツ受信装置から送信される第２のコンテンツ配信要求を受信し、要求されるコンテンツが光ディスクに記録されたコンテンツであった場合、
第２のコンテンツ配信要求に対するコンテンツ配信は行わない事を特徴としたコンテンツ配信装置。
【請求項３】
請求項１に記載のコンテンツ配信装置であって、
前記コンテンツ受信装置から送信されるコンテンツ配信要求に対し、前記コンテンツ配信手段によって光ディスク内のコンテンツを配信中に、
前記コンテンツ受信装置から送信されるコンテンツリスト取得要求を受信した場合、
前記コンテンツリスト生成・送信手段によって作成するコンテンツリストには光ディスクに記録されたコンテンツは含まないことを特徴としたコンテンツ配信装置。
【請求項４】
請求項１に記載のコンテンツ配信装置であって、
光ディスク以外の記録媒体内に外部からアクセス出来ない暗号化されたセキュア領域を備え、
前記コンテンツ受信装置から光ディスク内のコンテンツに対するコンテンツ配信要求を受信する前に、光ディスク内のコンテンツを該セキュア領域にコピーし、前記コンテンツ受信装置から光ディスク内のコンテンツに対するコンテンツ配信要求を受信した場合、該セキュア領域のコンテンツコピーを配信する事を特徴としたコンテンツ配信装置。
【請求項５】
請求項４に記載のコンテンツ配信装置であって、
前記コンテンツ受信装置から光ディスク内のコンテンツに対するコンテンツ配信要求を受信する前に、光ディスク内のコンテンツをダウンスケール変換又はトランスコード変換して該セキュア領域にコピーし、前記コンテンツ受信装置から光ディスク内のコンテンツに対するコンテンツ配信要求を受信した場合、該セキュア領域にある変換後のコンテンツを配信する事を特徴としたコンテンツ配信装置。
【請求項６】
少なくとも再生動作が可能な光ディスク装置及び光ディスク以外のランダムアクセス再生可能な記録媒体を搭載するコンテンツ配信装置がネットワークを介して接続されるコンテンツ受信装置へコンテンツリスト及びコンテンツを配信する方法であって、
前記コンテンツ受信装置から送信されるコンテンツリスト取得要求に対して、該光ディスク装置内に設置された光ディスクおよび該光ディスク以外の記録媒体内に存在するコンテンツの一覧を生成・送信するコンテンツリスト生成・配信ステップと、
前記コンテンツ受信装置から送信されるコンテンツ配信要求に対して、該当するコンテンツを前記光ディスク装置内に設置された光ディスク内および該光ディスク以外の記録媒体内から探索し、前記コンテンツ受信装置へ配信するコンテンツ配信ステップを有し、
該コンテンツリスト生成・配信ステップにおいては、
前記光ディスク装置内に光ディスクが装填されているか否かを調査する光ディスク有無調査ステップと、
光ディスク内のコンテンツ情報を取得する光ディスク内コンテンツ情報取得ステップと、
コンテンツ配信装置内のコンテンツ情報を収集しリスト化するコンテンツリスト生成ステップを有し、
該コンテンツ配信ステップにおいては、
前記コンテンツ受信装置から要求されるコンテンツの記録媒体を調査する要求コンテンツ記録媒体調査ステップと、
光ディスク内コンテンツが前記コンテンツ受信装置へ配信中か否かを調査する光ディスク内コンテンツ配信有無調査ステップを有し、
該光ディスク有無調査ステップにおいて、前記光ディスク装置に光ディスクが装填されていることを検知した場合には、該光ディスク内コンテンツ情報取得ステップにおいて、光ディスク内コンテンツの情報を取得し、コンテンツリスト生成ステップにおいて光ディスク内コンテンツ情報をコンテンツリストに追加して前記コンテンツ受信装置へ送信し、
その後、該要求コンテンツ記録媒体調査ステップによって、前記コンテンツ受信装置からの要求コンテンツが光ディスクに記録されたコンテンツであると判定し、さらに該光ディスク内コンテンツ配信有無調査ステップによって光ディスク内のコンテンツを配信中でないと判定した場合には、光ディスク内コンテンツをコンテンツ受信装置へ配信し、該光ディスク内コンテンツ配信有無調査ステップによって光ディスク内コンテンツを配信中であると判定した場合には、前記コンテンツ受信装置へ光ディスク内コンテンツを配信しないことを特徴としたコンテンツリスト及びコンテンツ配信方法。
【請求項７】
請求項６に記載のコンテンツリスト及びコンテンツ配信方法であって、
前記コンテンツリスト生成・配信ステップ内の前記光ディスク有無調査ステップにおいて、前記光ディスク装置に光ディスクが装填されていることを検知し、さらに前記光ディスク内コンテンツ配信有無調査ステップによって光ディスク内のコンテンツを配信中でないと判定した場合に、前記コンテンツリスト生成ステップにおいて光ディスク内コンテンツの情報をコンテンツリストに含め、前記光ディスク内コンテンツ配信有無調査ステップによって光ディスク内コンテンツを配信中であると判定した場合には、光ディスク内コンテンツの情報をコンテンツリストに含めないことを特徴としたコンテンツリスト及びコンテンツ配信方法。
【請求項８】
少なくとも再生動作が可能な光ディスク装置及び光ディスク以外のランダムアクセス再生可能な記録媒体を搭載し、光ディスク以外の記録媒体内に外部からアクセス出来ない暗号化されたセキュア領域を備えたコンテンツ配信装置が、ネットワークを介して接続されるコンテンツ受信装置へコンテンツリスト及びコンテンツを配信する方法であって、
前記コンテンツ受信装置から送信されるコンテンツリスト取得要求に対して、該光ディスク装置内に設置された光ディスクおよび該光ディスク以外の記録媒体内に存在するコンテンツの一覧を生成・送信するコンテンツリスト生成・配信ステップと、
前記コンテンツ受信装置から送信されるコンテンツ配信要求に対して、該当するコンテンツを前記光ディスク装置内に設置された光ディスク内および該光ディスク以外の記録媒体内から探索し、前記コンテンツ受信装置へ配信するコンテンツ配信ステップを有し、
該コンテンツリスト生成・配信ステップにおいては、
前記光ディスク装置内に光ディスクが装填されているか否かを調査する光ディスク有無調査ステップと、
前記セキュア領域に前記光ディスク装置に装填されている光ディスク内のコンテンツをコピーするコンテンツコピーステップと、
光ディスク内のコンテンツ情報を取得する光ディスク内コンテンツ情報取得ステップと、
コンテンツ配信装置内のコンテンツ情報を収集しリスト化するコンテンツリスト生成ステップを有し、
該コンテンツ配信ステップにおいては、
前記コンテンツ受信装置から要求されるコンテンツの記録媒体を調査する要求コンテンツ記録媒体調査ステップと、
光ディスク内コンテンツが前記コンテンツ受信装置へ配信中か否かを調査する光ディスク内コンテンツ配信有無調査ステップを有し、
該光ディスク有無調査ステップにおいて、前記光ディスク装置に光ディスクが装填されていることを検知した場合に、該コンテンツコピーステップにおいて、光ディスク内コンテンツを前記セキュア領域にコピーし、該コンテンツリスト生成ステップにおいてコンテンツリストにセキュア領域内コンテンツを含めることを特徴としたコンテンツリスト及びコンテンツ配信方法。
【請求項９】
請求項８に記載のコンテンツリスト及びコンテンツ配信方法であって、
セキュア領域記録残量を測定するセキュア領域残量調査ステップと、
コンテンツのトランスコードを行うトランスコードステップをさらに有し、
前記光ディスク有無調査ステップにおいて、前記光ディスク装置に光ディスクが装填されていることを検知した場合には、セキュア領域残量調査ステップにおいて、光ディスク内コンテンツのサイズとセキュア領域残量を比較し、コンテンツのサイズの方が大きい場合、該トランスコードステップにおいて、光ディスク内コンテンツのトランスコードを行い、前記コピーステップにおいてトランスコード後のコンテンツをセキュア領域にコピーし、前記コンテンツリスト生成ステップにおいてコンテンツリストにセキュア領域内コンテンツを含めることを特徴としたコンテンツリスト及びコンテンツ配信方法。
【請求項１０】
請求項４〜５いずれか一項に記載のコンテンツ配信装置であって、
外部からの取り出し操作によって光ディスクが前記光ディスク装置から取り出された場合、
前記セキュア領域にコピーしたコンテンツを削除することを特徴としたコンテンツ配信装置。
【請求項１１】
請求項８または９に記載のコンテンツリスト及びコンテンツ配信方法において、
前記セキュア領域にコンテンツが存在するか否かを調査するセキュア領域コンテンツ有無調査ステップと、
前記セキュア領域に存在するコンテンツを削除するセキュア領域コンテンツ削除ステップを有し、
光ディスクドライブから光ディスクの取り出し要求に対して、該セキュア領域コンテンツ有無調査ステップにおいて、コンテンツの有無を調査し、コンテンツが存在すると判定した場合には、該セキュア領域コンテンツ削除ステップにおいて、コンテンツを削除することを特徴としたコンテンツ制御方法。
【発明の詳細な説明】
【技術分野】
【０００１】
本発明は、光ディスクに記録されたコンテンツをネットワーク配信するコンテンツ配信装置およびコンテンツ送信方法に関する。
【背景技術】
【０００２】
デジタル映像信号処理技術の発展に伴い、デジタル放送を受信するデジタルチューナ、該デジタルチューナ内蔵テレビ（以下、ＤＴＶ）や、デジタル放送番組を録画・再生するデジタル記録装置（例えば、ＨＤＤレコーダやＤＶＤ（Ｄｉｇｉｔａｌ  Ｖｅｒｓａｔｉｌｅ  Ｄｉｓｃ）レコーダ、ＢＤ(Ｂｌｕ-ｒａｙ  Ｄｉｓｃ)レコーダ、ＮＡＳ（Ｎｅｔｗｏｒｋ  Ａｔｔａｃｈｅｄ  Ｓｔｏｒａｇｅ）等）のデジタルＡＶ装置が次々と製品化されている。
【０００３】
また、ブロードバンド／インターネットの普及により、これらのＰＣやデジタルＡＶ装置に有線／無線ＬＡＮ（Ｌｏｃａｌ  Ａｒｅａ  Ｎｅｔｗｏｒｋ）、ＩＥＥＥ１３９４、ＵＳＢ（Ｕｎｉｖｅｒｓａｌ  Ｓｅｒｉａｌ  Ｂｕｓ）、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）などのデジタルインタフェースを搭載し、ネットワークを介して宅内／宅外でデジタルコンテンツを伝送することが可能になってきた。特に宅内に構築されたネットワークを利用してデジタルコンテンツの共有を行うためのガイドラインとしてＤＬＮＡ（Ｄｉｇｉｔａｌ  Ｌｉｖｉｎｇ  Ｎｅｔｗｏｒｋ  Ａｌｌｉａｎｃｅ）が広く普及している。現在、市場にはＰＣを含めた多くのＡＶ装置がＤＬＮＡに対応した製品を発売している。
【０００４】
デジタルＡＶ装置の間でデジタルコンテンツを送信する際には、コンテンツ送信装置側において暗号化を行い、コンテンツ受信装置側との間で復号化のための情報の共有化を行うことによって、送信先であるコンテンツ受信装置以外の機器によってコンテンツが正しく受信されて復号されない様にして、無制限なコピーの作成を防ぐコピープロテクトが実施されている。
【０００５】
このようなコピープロテクトの方法の一例としてデジタルＡＶ機器に取り入れられているものには、例えば特許文献１に記載の方式がある。特許文献１に記載の方式ではコンテンツを「Ｃｏｐｙ  ｆｒｅｅ（制限なくコピー可）」「Ｃｏｐｙ  ｆｒｅｅ  ｗｉｔｈ  ＥＰＮ  ａｓｓｅｒｔｅｄ（出力保護付きで制限なくコピー可）」「Ｃｏｐｙ  ｏｎｅ  ｇｅｎｅｒａｔｉｏｎ（１世代コピー可）」「Ｎｏ  ｍｏｒｅ  ｃｏｐｉｅｓ（再コピー禁止）」「Ｃｏｐｙ  ｎｅｖｅｒ（コピー禁止）」に分類して管理し、録画装置では「Ｃｏｐｙ  ｆｒｅｅ」「Ｃｏｐｙ  ｆｒｅｅ  ｗｉｔｈ  ＥＰＮ  ａｓｓｅｒｔｅｄ」「Ｃｏｐｙ  ｏｎｅ  ｇｅｎｅｒａｔｉｏｎ」のコンテンツだけを記録し、「Ｃｏｐｙ  ｏｎｅ  ｇｅｎｅｒａｔｉｏｎ」のコンテンツは一度記録した後は「Ｎｏ  ｍｏｒｅ  ｃｏｐｉｅｓ」として取り扱い、ネットワーク／バス上では「Ｃｏｐｙ  ｆｒｅｅ」のコンテンツを除いて送信側で暗号化処理を施して伝送を行うことによって、無制限なコンテンツのコピーが行えないようにしている。
【０００６】
特許文献２においては、機器間でのコンテンツ伝送の際に、コンテンツの著作権保護を高める技術が開示されている。
【０００７】
一方、映画や音楽などの映像・音声コンテンツはＢＤ、ＤＶＤ、ＣＤ（Ｃｏｍｐａｃｔ  Ｄｉｓｃ）などの光ディスクへ記録され広く流通している。光ディスクに著作権保護すべきコンテンツが記録される場合には、コピープロテクト技術として、ＡＡＣＳ（Ａｄｖａｎｃｅｄ  Ａｃｃｅｓｓ  Ｃｏｎｔｅｎｔ  Ｓｙｓｔｅｍ）、ＣＳＳ（Ｃｏｎｔｅｎｔ  Ｓｃｒａｍｂｌｅ  Ｓｙｓｔｅｍ）、ＣＰＲＭ（Ｃｏｎｔｅｎｔ  Ｐｒｏｔｅｃｔｉｏｎ  Ｒｅｃｏｒｄａｂｌｅ Ｍｅｄｉａ）などＤＲＭ（Ｄｉｇｉｔａｌ  Ｒｉｇｈｔｓ  Ｍａｎａｇｅｍｅｎｔ）技術が使用されている。
【先行技術文献】
【特許文献】
【０００８】
【特許文献１】特開２００５−２６９２８８
【特許文献２】特開２０１０−１１９１３７号公報
【発明の概要】
【発明が解決しようとする課題】
【０００９】
ＢＤ，ＤＶＤ，ＣＤ等の記録媒体を扱う光ディスクドライブを内蔵あるいは外付けで利用可能な搭載したコンテンツ配信装置とＴＶやＰＣなどコンテンツを再生する再生装置がネットワーク接続された環境下で、コンテンツ配信装置がネットワーク越しに光ディスク内のコンテンツを一つ以上の再生装置へ送信し、再生装置で該コンテンツを視聴する場合を想定する。複数の再生装置上で同一光ディスクに記録されたコンテンツを視聴する場合、光ディスクの読み出し位置へのＳｅｅｋ処理が頻繁に発生するため、転送速度の低下が発生するという課題がある。このような状況下では、再生装置側で映像にブロックノイズが発生することや、映像が止まってしまうという問題が発生することが考えられる。
【００１０】
そこで、本発明の目的は、光ディスクドライブを搭載したコンテンツ配信装置が複数の再生装置に対して光ディスク内コンテンツを配信する際に、Ｓｅｅｋ処理を頻繁に発生させずに安定したコンテンツ配信を行う事を目的とする。
【課題を解決するための手段】
【００１１】
本発明によれば、上記課題は例えば特許請求の範囲記載の構成によって解決される。
【発明の効果】
【００１２】
本発明によれば、コンテンツ配信装置の光ディスク内コンテンツの配信における安定性向上を達成することが出来る。
【図面の簡単な説明】
【００１３】
【図１】本発明の実施例を表す概略図
【図２】本発明の実施例を表すシステム構成図
【図３】コンテンツ配信装置の実施例を表すフローチャート
【図４】コンテンツ配信装置の実施例を表すフローチャート
【図５】コンテンツ受信装置の実施例を表す画面表示例
【図６】コンテンツ配信装置の実施例を表すフローチャート
【図７】コンテンツ受信装置の実施例を表す画面表示例
【図８】コンテンツ配信装置の実施例を表すフローチャート
【図９】コンテンツ配信装置の実施例を表すフローチャート
【図１０】コンテンツ配信装置の実施例を表すフローチャート
【図１１】コンテンツ配信装置の実施例を表すフローチャート
【図１２】コンテンツ配信装置の実施例を表す構成図
【図１３】コンテンツ受信装置の実施例を表す構成図
【発明を実施するための形態】
【００１４】
以下、本発明の実施例について説明する。
【実施例１】
【００１５】
本実施例は、テレビやＰＣなどのコンテンツ受信装置がネットワークを介してコンテンツ配信装置から送信されるコンテンツを視聴する例である。
【００１６】
図１は、本実施例の全体像を表す。コンテンツ配信装置１００には、光ディスクドライブ１０１と内蔵の記録媒体１０２を備え、ＬＡＮ（Ｌｏｃａｌ  Ａｒｅａ  Ｎｅｔｗｏｒｋ）１０５を介して、コンテンツ受信装置であるテレビ１０３及び１０４と通信することができる。
【００１７】
コンテンツ配信装置１００は、光ディスクドライブ１０１内の装填されている光ディスク及び内蔵の記録媒体１０２に蓄積されているコンテンツを、ネットワークを介してコンテンツ受信装置に対してコンテンツを配信する。一方、コンテンツ受信装置１０３及び１０４は再生コンテンツをコンテンツ配信装置１００に要求し、コンテンツ配信装置１００から受信したコンテンツを再生する情報機器である。
【００１８】
ＬＡＮにおいては、ネットワークプロトコルとして標準のＩＰ（Ｉｎｔｅｒｎｅｔ  Ｐｒｏｔｏｃｏｌ）を使用し、上位のトランスポートプロトコルにはＴＣＰ（Ｔｒａｎｓｍｉｓｓｉｏｎ  Ｃｏｎｔｒｏｌ  Ｐｒｏｔｏｃｏｌ）およびＵＤＰ（Ｕｓｅｒ  Ｄａｔａｇｒａｍ  Ｐｒｏｔｏｃｏｌ）を用いる。コンテンツの伝送には更に上位のアプリケーションプロトコル、例えばＲＴＰ（Ｒｅａｌ−ｔｉｍｅ  Ｔｒａｎｓｐｏｒｔ  Ｐｒｏｔｏｃｏｌ）やＨＴＴＰ（Ｈｙｐｅｒ  Ｔｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）等が使用される。なお、ＩＰにはバージョンの違いとしてＩＰｖ４とＩＰｖ６が有るが、そのどちらかに限定される物ではない。また、図には示していないが、各装置は、ＬＡＮによりハブやルータを介して接続されても良い。
【００１９】
コンテンツ送信装置１００は光ディスクドライブ１０１に装鎮された光ディスク内のコンテンツを、ネットワークを介して接続されたコンテンツ受信装置１０３および１０４へ送信する。送信するコンテンツが著作権を保護するべきコンテンツである場合には、ネットワーク上での不正コピーや改竄を防止するため、ＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）を使用する。
【００２０】
図２は、本発明におけるコンテンツ配信装置１００とコンテンツ受信装置１０３及び１０４の全体構成を説明するブロック図である。
【００２１】
コンテンツ配信装置１００は光ディスクドライブ１０１と内蔵の記録媒体１０２を備え、ストレージ制御部２００、再生情報生成部２０１、コンテンツ送信部２０２、認証部２０３、鍵生成部２０４、暗号化部２０５、ネットワーク通信処理部２０６、トランスコード処理部２０７を備える。また、内蔵の記録媒体１０２には、外部ユーザからはアクセスできないセキュア領域２０８を備える。
【００２２】
ストレージ制御部２００は光ディスクドライブ１０１及び記録媒体１０２と接続され、光ディスクドライブ１０１に装填された光ディスク及び記録媒体１０２に記録された映像音声データと映像音声データの管理情報を読み出す。映像音声データが著作権保護すべきコンテンツであり、ＡＡＣＳ、ＣＰＲＭ、ＣＳＳ等の暗号化されたデータである場合には、ストレージ制御部２００はコンテンツを復号化しながら読み出す。また、ストレージ制御部２００は読み出した管理情報を再生情報生成部２０１へ送り、コンテンツをコンテンツ送信部２０２に送る。管理情報には、映像音声データの種類を特定するための情報（例えば、ＩＦＯ  Ｆｉｌｅ）や、映像音声データのシーンやタイトルに関する情報（例えば、Ｃｌｉｐ  Ｉｎｆｏｒｍａｔｉｏｎ  Ｆｉｌｅ、Ｐｌａｙｌｉｓｔ  Ｆｉｌｅ）が含まれている。
【００２３】
再生情報生成部２０１はストレージ制御部２００から読出した管理情報を、ＤＬＮＡやＤＴＣＰ−ＩＰで指定されたフォーマットに変換する。例えば、後述のコンテンツ配信装置１００がコンテンツ再生装置１０３／１０４に対してコンテンツリストやその他の付加情報を送信するために、前記管理情報に含まれるコンテンツ名やフォーマット、日時などの情報をＤＬＮＡ準拠の形式に変換する。また各コンテンツのコピー制御情報（Ｃｏｐｙ  ｎｅｖｅｒやＣｏｐｙ  ｏｎｅ  ｇｅｎｅｒａｔｉｏｎ、コピー可の個数など）をＤＬＮＡやＤＴＣＰ−ＩＰ準拠の形式に変換する。ＤＴＣＰ−ＩＰを使用してコンテンツの送受信をおこなうと、不正コピーを防止しつつデータの送受信を行うことができる。これにより、光ディスクドライブ１０１に装填された光ディスクに記録されたコンテンツを不正にコピーされることなく他の端末に送信することができ、コンテンツの著作権者の権利を守ることができる。
【００２４】
コンテンツ送信部２０２は、ストレージ制御部２００から取得するコンテンツの映像音声データをＤＴＣＰ−ＩＰ規格に準拠した構成で暗号化部２０５へ送信する。必要に応じて、前記再生情報生成部２０１から送信される管理情報も暗号化部２０５へ送信しても良い。
【００２５】
認証部２０３は再生情報生成部２０１と鍵生成部２０４、ネットワーク通信処理部２０６に接続されている。認証部２０３は、ネットワークを介して著作権保護対象のコンテンツを送信するために、他のＡＶ装置（すなわち、コンテンツ受信装置１０３及び１０４）との間で特定の認証プロトコル（本実施例ではＤＴＣＰ−ＩＰ規格準拠）でお互いに正規に認定された機器であるかを認証し、コンテンツの暗号／復号に使用する鍵を共有する。ここで、該認証プロトコルに必要な情報は鍵生成部２０４から取得する。
【００２６】
鍵生成部２０４は、前記認証部２０３で共有した鍵を元に、コンテンツの暗号化に必要な鍵情報を生成する。
【００２７】
暗号化部２０５はコンテンツ送信部２０２と鍵生成部２０４とネットワーク信号処理部２０６と接続されている。暗号化部２０５は鍵生成部２０４の鍵情報を用いてコンテンツの暗号化処理を行う。
【００２８】
ネットワーク通信処理部２０６はＨＴＴＰ／ＲＴＰ／ＴＣＰ／ＵＤＰ／ＩＰなどの通信プロトコルスタックが実装されており、送信データに各種プロトコルのヘッダを付与しネットワークで接続した他の機器に対して（コンテンツ受信装置１０３及び１０４）コンテンツや必要に応じてその他の管理情報を送信する。また、コンテンツ受信装置１０３及び１０４との認証に必要なデータも送受信する。
【００２９】
トランスコード処理部２０７はストレージ制御部２００から読み出されたコンテンツデータを復号し、デジタルビデオ信号の画素値データへ変換する。続いて画素値データを元のコンテンツとは異なる符号化方式を用いて符号化する。符号化方式にはＭＰＥＧ２（Ｍｏｔｉｏｎ  Ｐｉｃｔｕｒｅ  Ｅｘｐｅｒｔｓ  Ｇｒｏｕｐ  ２）やＨ．２６４／ＭＰＥＧ４  ＡＶＣ（Ａｄｖａｎｃｅｄ  Ｖｉｄｅｏ  Ｃｏｄｉｎｇ）などの方式が存在する。
【００３０】
セキュア領域２０８は、ユーザや特定のソフトウェア（アプリケーションやドライバなど）以外のソフトウェアからアクセスすることが出来ない暗号化された領域である。図２では内蔵の記録媒体１０２内の別領域として存在しているが、必ずしも記録媒体１０２内に存在しなくてもよい。内蔵記録媒体１０２の別パーティションとしてセキュア領域を確保しても良いし、前記内蔵記録媒体１０２とは別の記録媒体を用意しても良い。但しセキュア領域２０８は光ディスク以外の媒体を用い、ＨＤＤ，iＶＤＲ（Ｉｎｆｏｒｍａｔｉｏｎ Ｖｅｒｓａｔｉｌｅ Ｄｉｓｋ ｆｏｒ Ｒｅｍｏｖａｂｌｅ ｕｓａｇｅ）、ＳＳＤ，フラッシュメモリなどを使用可能である。
【００３１】
コンテンツ受信装置１０３及び１０４には、ネットワーク通信処理部２０９、認証部２１０、鍵生成部２１１、復号化部２１２、再生情報取得部２１３、コンテンツ受信部２１４、映像音声デコーダ２１５、デジタル入出力制御部２１６、アナログ入出力制御部２１７を備える。
【００３２】
ネットワーク通信処理部２０９は、コンテンツ配信装置１００とＬＡＮを介して接続されている。ネットワーク通信処理部２０９はＨＴＴＰ／ＲＴＰ／ＴＣＰ／ＵＤＰ／ＩＰなどの通信プロトコルスタックが実装されており、コンテンツ配信装置１００からの受信データに付与されている各種プロトコルのヘッダを除去し復号化部２１２へコンテンツ及びその他の管理情報を送る。また、コンテンツ配信装置１００との認証に必要なデータも送受信する。
【００３３】
認証部２１０はネットワーク通信処理部２０９および鍵生成部２１１と接続されている。認証部２１０は、ネットワーク接続された他のＡＶ装置（コンテンツ配信装置１００）との間で特定の認証プロトコル（本実施例ではＤＴＣＰ−ＩＰ規格準拠）でお互いに正規に認定された機器であるかを認証し、コンテンツの暗号／復号に使用する鍵を共有する。ここで、認証の際に必要な情報は鍵生成部２１１から取得する。
【００３４】
鍵生成部２１１は、前記認証部２１０で共有した鍵を元に、コンテンツの復号化に必要な鍵情報を生成する。
【００３５】
復号化部２１２は鍵生成部２１１とコンテンツ受信部２１４と接続されている。復号化部２１２は鍵生成部２１１の鍵情報を用いてコンテンツの復号化処理を行う。
【００３６】
再生情報取得部２１３は、コンテンツ送信装置１００の再生情報生成部２０１で生成された再生情報をコンテンツ受信部２１４から受信し、後述する映像音声デコーダ２１５と連携して再生情報に基づいてデータを再生制御する。
【００３７】
コンテンツ受信部２１４は、復号化部２１２から受信したコンテンツから重畳された再生情報を取り出し再生情報取得部２１３に送信する。コンテンツ自体は映像音声デコーダ２１５に送られる。
【００３８】
映像音声デコーダ２１５はＭＰＥＧ２やＨ．２６４／ＭＰＥＧ４  ＡＶＣなどの各種動画フォーマットに符号化されたコンテンツを復号し、デジタル入出力制御部２１６、またはアナログ入出力制御部２１７へ送る。
【００３９】
デジタル入出力制御部２１６は映像音声デコーダ２１５でデコードされたデジタルデータを表示装置へ出力する。表示装置との接続にはＨＤＭＩやＤＶＩ（Ｄｉｇｉｔａｌ  Ｖｉｓｕａｌ  Ｉｎｔｅｒｆａｃｅ）などデジタルデータの入出力可能なケーブル・端子を用いる。
【００４０】
アナログ入出力制御部２１７は映像音声デコーダ２１５でデコードされたデジタルデータをＤ／Ａ変換することでアナログ情報に変換し、表示装置へ出力する。表示装置との接続にはＲＣＡ端子やＤ端子などアナログ情報の入出力可能なケーブル・端子を用いる。
【００４１】
光ディスクドライブ１０１に装填される光ディスクは、ＤＶＤやＢＤなどの映画や放送番組、インターネット経由で配信される番組などのコンテンツや該コンテンツに関する情報、プログラム等が記録されている事を想定している。内蔵の記録媒体１０２は、ＤＶＤやＢＤ以外のＳＤカードやＨＤＤ、半導体メモリなどさまざまな媒体があり、映像音声コンテンツや映像コンテンツ、音声コンテンツ、静止画、ＰＣで作成した文書、各種プログラムなどを記録している。
【００４２】
ここで本発明の特徴を示す一実施例を、図３〜７を用いて説明する。なお、本実施例の説明ではコンテンツ受信装置１０３を使用するが、コンテンツ受信装置１０４を含む他のＡＶ装置を使用しても同様の効果が得られる。
【００４３】
図３は、コンテンツ配信装置１００内に蓄積されたコンテンツを配信するまでのフローチャートである。
【００４４】
コンテンツ配信装置１００は、ネットワーク接続されたＡＶ装置（コンテンツ受信装置１０３）からネットワーク通信処理部２０６を介してコンテンツリスト取得要求を受信すると、ストレージ制御部２００を用いて光ディスクドライブ１０１に装填された光ディスク及び内蔵の記録媒体１０２に記録されたコンテンツに関する情報（例えば、コンテンツの名称、記録フォーマット、容量、コンテンツの取得ＵＲＬ（Ｕｎｉｆｏｒｍ Ｒｅｓｏｕｒｃｅ Ｌｏｃａｔｏｒ）やポート番号、著作権保護対象か否かを示すフラグ、認証処理を実行するためのポート番号など）を収集し、コンテンツリストを生成する。コンテンツリストはネットワークを介して、要求元であるコンテンツ受信装置１０３へ送信する（ステップＳ３０１）。
続いてコンテンツ受信装置１０３からネットワークを介してコンテンツ配信要求を受信すると、コンテンツ配信装置１００は、該コンテンツ配信要求に含まれるコンテンツ情報を解析し、光ディスクドライブ１０１に装填された光ディスク及び内蔵の記録媒体１０２から要求コンテンツを探索する。続いて、要求コンテンツをストレージ制御部２００によって読み出し、コンテンツ送信部２０２によって送信し、ネットワーク通信処理部２０６を介して、要求元であるコンテンツ受信装置１０３へ送信する（ステップＳ３０２）。
【００４５】
ここで、前記要求コンテンツが著作権保護すべきコンテンツである場合は、認証部２０３を用いてコンテンツ受信装置１０３との間で所定の認証処理を実行し、該認証処理に成功した場合のみ該コンテンツ受信装置１０３との間で鍵情報を共有する。そして、鍵生成部２０４を用いて前記共有した鍵情報をベースにコンテンツを暗号化するための暗号鍵を生成し、ストレージ制御部２００で読み出されたコンテンツを暗号化部２０７を用いて該暗号鍵で暗号化し、必要に応じて所定のヘッダ（例えば、Ｃｏｐｙ ｎｅｖｅｒやＮｏ ｍｏｒｅ  ｃｏｐｉｅｓなどのコピー制御情報やデータ長、前記暗号鍵に関連した情報など）を付加して送信する。上記の認証処理を実行するタイミングは、ステップＳ３０１でコンテンツ受信装置１０３が受信したコンテンツリストの中から所望のコンテンツを選択し、該コンテンツが著作権保護対象であるか否かを判定し、その結果が著作権保護対象である場合に、ステップＳ３０２でコンテンツ配信装置１００に対してコンテンツ配信要求を発行する前に、該コンテンツ配信装置１００との間で認証処理を実施しても良い。
【００４６】
図４は、図３のステップＳ３０１のコンテンツリスト生成・配信処理を詳細に説明したフローチャートである。
【００４７】
コンテンツ配信装置１００は、コンテンツ受信装置１０３からネットワークを介してコンテンツリスト取得要求を受信する（ステップＳ４０１）。
【００４８】
次に、光ディスクドライブ１０１に光ディスクが装填されているか否かを調査する（ステップＳ４０２）。
【００４９】
前記ステップＳ４０２の結果、光ディスクが光ディスクドライブ１０１内に装着されていない場合、ステップＳ４０４に遷移する。
【００５０】
前記ステップＳ４０２の結果、光ディスクドライブ１０１に光ディスクが装填されている場合は、光ディスクドライブ１０１に装着されている光ディスク内に記録されているコンテンツに関する情報を収集する（ステップＳ４０３）。コンテンツに関する情報とは、コンテンツのファイル名、コンテンツの映像フォーマット、コンテンツの再生時間など、コンテンツリスト生成に必要な情報のことである。
【００５１】
次に、内蔵の記録媒体１０２内に記録されているコンテンツに関する情報を収集する（ステップＳ４０４）。
【００５２】
そして、前記ステップＳ４０３及びステップＳ４０４で収集した情報を元にコンテンツリストを生成する（ステップＳ４０５）。
【００５３】
最後に、コンテンツ受信装置１０３に対してコンテンツリストを送信する。（ステップＳ４０６）
前記ステップＳ４０３において、光ディスク内のコンテンツ情報を取得し、光ディスク内のコンテンツの情報を含めたコンテンツリストをコンテンツ受信装置に送ることにより、ユーザはコンテンツ受信装置から光ディスク内コンテンツを要求・視聴することが可能である。
【００５４】
図５は、コンテンツ受信装置１０３におけるコンテンツ選択画面の一例である。コンテンツ受信装置はコンテンツ配信装置からコンテンツリストを受信し、コンテンツ選択画面を作成してユーザへ表示する。ルートコンテナ５００の下層にはビデオ５０１、写真５０２などのコンテンツ種類に分類したコンテナがある。さらに例えばビデオ５０１の下層にはＨＤＤ５０３やＢＤ／ＤＶＤ５０５などといったコンテンツ配信装置内の記録媒体によって分類したコンテナが表示される。ＨＤＤ５０３やＢＤ／ＤＶＤ５０５の下層にはコンテンツ名やファイル名などコンテンツ自体を表す文字列が表示される。例えば、サッカー５０４やチャプタ１  ５０６とユーザに表示する。ユーザはコンテンツ受信装置の入力装置を用いて希望のコンテンツ（サッカー５０４またはチャプタ１  ５０６など）を選択することにより、コンテンツを要求・視聴することが可能である。
【００５５】
図６は、図３のステップＳ３０２のコンテンツ配信処理を詳細に説明したフローチャートである。
【００５６】
コンテンツ配信装置１００とコンテンツ受信装置１０３は、必要に応じて前記認証処理を実行し、コンテンツ暗号／復号に必要な鍵情報を共有した後、コンテンツ配信装置１００はコンテンツ受信装置１０３からネットワークを介してコンテンツ配信要求を受信する（ステップＳ６０１）。
【００５７】
コンテンツ配信装置１００は要求されたコンテンツが光ディスクドライブ１０１に装填された光ディスクに記録されたコンテンツか否かを調査する（ステップＳ６０２）。
前記ステップＳ６０２で確認した結果が光ディスクに記録されたコンテンツではない場合は、要求されたコンテンツが内蔵の記録媒体１０２に記録されたコンテンツか否かを調査する（ステップＳ６０３）。その結果、内蔵の記録媒体１０２に記録されたコンテンツではない場合、処理を終了する。内蔵の記録媒体１０２に記録されたコンテンツである場合は、ステップＳ６０６に遷移する。
【００５８】
前記ステップＳ６０２で確認した結果が光ディスクに記録されたコンテンツである場合、光ディスクドライブ１０１に装填された光ディスク内のコンテンツがコンテンツ受信装置１０３を含むコンテンツ受信装置に対して配信中か否かを調査する（ステップＳ６０４）。その結果、要求コンテンツが配信中であるならば、コンテンツ受信装置１０３に対してコンテンツ配信不可である情報と必要に応じて不可原因を送信し、処理を終了する（ステップＳ６０５）。要求コンテンツが配信中でないならば、ステップＳ６０６へ遷移する。
【００５９】
前記ステップＳ６０３および前記ステップＳ６０４で、要求されたコンテンツが内蔵の記録媒体１０２内のコンテンツあるいは現在配信中でない光ディスク内のコンテンツの場合は、該要求コンテンツをストレージ制御部２００によって読み出し、コンテンツ送信部２０２によって送信し、ネットワーク通信処理部２０６を介して、要求元であるコンテンツ受信装置１０３へ送信する（ステップＳ６０６）。ここで、前記読み出した要求コンテンツは、必要に応じてトランスコード処理部２０７で前記コンテンツ受信装置１０３が受信可能な形式にトランスコードした後、あるいはトランスコードしながら送信する。また、要求コンテンツが著作権保護すべきコンテンツである場合は、前記読み出した要求コンテンツあるいはトランスコード後／トランスコード中の要求コンテンツを、ＤＴＣＰ−ＩＰ規格に準拠した形式で前記ステップＳ６０１の認証処理で共有した鍵情報を元に、読み出されたコンテンツを暗号化部２０７によって暗号化して送信する。
【００６０】
ステップＳ６０４及びステップＳ６０５において、光ディスク内のコンテンツが既に配信中の状況下で、再び同一光ディスク内のコンテンツが要求された場合には、後から受信したコンテンツ配信要求に対しては要求コンテンツを配信せず、コンテンツ配信不可情報を送信することによって、光ディスクのＳｅｅｋ処理の多発を防ぎ、既存のコンテンツ配信処理の安定性を確保することが可能である。
【００６１】
図７は、コンテンツ受信装置１０３及び１０４において、コンテンツ配信装置からコンテンツ配信不可情報を受信した場合の表示例である。コンテンツ受信装置１０３及び１０４の表示画面には図７の例のようにコンテンツが配信できない旨の文言をユーザに表示する。これにより、ユーザは要求したコンテンツが視聴できない理由を知ることが可能である。
【００６２】
ここで、前記ステップＳ６０４では、光ディスク内のコンテンツを現在送信中か否かを判定し、送信中でない場合のみ該コンテンツを前記コンテンツ受信装置１０３に送信しているが、同時に配信可能な数に制限を設け、該制限数を越えない範囲で該コンテンツを送信する方法もある。これにより、コンテンツ配信装置１００側のハードウェアおよびソフトウェアの性能に最適なコンテンツ配信を実現できる。
【００６３】
以上から、本実施例の特徴は、コンテンツ配信装置１００に光ディスクが挿入されていた場合、該光ディスクに記録されているコンテンツをコンテンツリストの中に含めてコンテンツ受信装置１０３／１０４に対して送信することである。また、前記コンテンツ受信装置１０３／１０４が前記コンテンツリストの中から前記光ディスク内のコンテンツを選択し、コンテンツ配信装置１００に対して配信要求を発行した場合、該コンテンツ配信装置１００は該光ディスク内のコンテンツを現在配信中か否かを確認し、配信中でなければ該要求されたコンテンツを配信することである。これにより、コンテンツ受信装置はネットワーク越しにＢＤやＤＶＤに格納されたコンテンツを視聴することができ、またコンテンツ配信装置は光ディスクのＳｅｅｋ処理の多発を防ぎ、安定したコンテンツ配信処理を実行することが可能である。
【００６４】
ここで、本実施例では、コンテンツ受信装置１０３／１０４からコンテンツ配信装置１００に対してコンテンツリスト送信要求、あるいはコンテンツ配信要求を発行しているが、コンテンツ配信装置１００からコンテンツ受信装置１０３／１０４に対してコンテンツリスト受信要求、あるいはコンテンツ受信要求を発行しても良い。また、ネットワーク上に存在する機器の発見については、ＵＰｎＰ（Ｕｎｉｖｅｒｓａｌ Ｐｌｕｇ  ａｎｄ  Ｐｌａｙ）などの既存の方法を使用すれば良い。
【実施例２】
【００６５】
本発明の特徴を示す一実施例を、図８を用いて説明する。
【００６６】
図８は、図３のステップＳ３０１のコンテンツリスト生成・配信処理を詳細に説明したフローチャートである。
【００６７】
コンテンツ配信装置１００は、コンテンツ受信装置１０３からネットワークを介してコンテンツリスト取得要求を受信する（ステップＳ８０１）。
【００６８】
これに対して、コンテンツ配信装置１００は、光ディスクドライブ１０１に光ディスクが装填されているか否かを調査する（ステップＳ８０２）。
【００６９】
その結果、光ディスクが光ディスクドライブ１０１内に装着されていない場合は、ステップＳ８０５に遷移し、内蔵の記録媒体１０２内に記録されているコンテンツに関する情報を収集する。
【００７０】
一方、光ディスクドライブ１０１に光ディスクが装填されている場合は、光ディスクドライブ１０１に装填された光ディスク内のコンテンツがコンテンツ受信装置１０３を含むコンテンツ受信装置に対して配信中か否かを調査する（ステップＳ８０３）。もし、何らかのコンテンツが配信中であるならば、ステップＳ８０５へ遷移する。
【００７１】
前記ステップＳ８０３でどのコンテンツも配信中でないならば、光ディスクドライブ１０１に装着されている光ディスク内に記録されているコンテンツに関する情報を収集する（ステップＳ８０４）。
【００７２】
光ディスク内コンテンツの情報収集後は、内蔵の記録媒体１０２内に記録されているコンテンツに関する情報を収集する（ステップＳ８０５）。
【００７３】
そして、前記ステップＳ８０４及びステップＳ８０５で収集した情報を元にコンテンツリストを生成する（ステップＳ８０６）。
最後にコンテンツ受信装置１０３または１０４に対してコンテンツリストを送信する（ステップＳ８０７）。
【００７４】
ここで、前記ステップＳ８０３では、光ディスク内のコンテンツを現在送信中か否かを判定し、送信中でない場合のみ該コンテンツの情報をコンテンツリストに含めて前記コンテンツ受信装置１０３に送信しているが、同時に配信可能な数に制限を設け、該制限数を越えない範囲で該コンテンツの情報をコンテンツリストに含めて送信する方法もある。
【００７５】
以上により、光ディスク内のコンテンツがコンテンツ受信装置へ配信中であるか否かを調査することによって、コンテンツ配信装置１００が配信できるもののみをコンテンツリストに含めることが可能となり、ユーザが希望のコンテンツを選択したにもかかわらず、選択したコンテンツを視聴できないという事態を防ぐことが出来る。
【実施例３】
【００７６】
本発明の特徴を示す一実施例を、図９〜１１を用いて説明する。
【００７７】
図９は、図３のステップＳ３０１のコンテンツリスト生成・配信処理を詳細に説明したフローチャートである。
【００７８】
コンテンツ配信装置１００は、システムや特定ソフトウェアの起動時あるいはユーザ指示などの所定のタイミングで光ディスクドライブ１０１に光ディスクが装填されているか否かを調査する（ステップＳ９０１）。
【００７９】
もし光ディスクが光ディスクドライブ１０１内に装着されていない場合は、ステップＳ９０４に遷移する。
【００８０】
一方、光ディスクドライブ１０１に光ディスクが装填されている場合は、光ディスクドライブ１０１に装填された光ディスク内のコンテンツが内蔵記録媒体１０２内のセキュア領域２０８へコピー済みかどうかを調査する（ステップＳ９０２）。光ディスク内コンテンツがセキュア領域２０８へコピー済みであった場合、ステップＳ９０４へ遷移する。光ディスク内コンテンツがセキュア領域２０８へコピーされていなかった場合、光ディスクドライブ１０１に装填された光ディスク内のコンテンツを内蔵記録媒体１０２内のセキュア領域２０８へコピーする（ステップＳ９０３）。ここで、前記ステップＳ９０３では、光ディスク内のコンテンツが著作権保護すべきコンテンツであるか否かを判断し、ＡＡＣＳ、ＣＰＲＭ、ＣＳＳなどの方式で暗号化されている場合には、ストレージ制御部２００が、光ディスクからコンテンツを読み出す際に復号化し、さらにセキュア領域に書き込む際に再度ＡＡＣＳ、ＣＰＲＭ、ＣＳＳなどの方式で暗号化する。セキュア領域に書き込む際の暗号化方式は、光ディスクに記録されているコンテンツと同じ方式でもよいし、変更してもよい。また、セキュア領域に書き込む際に使用する暗号化の情報は、コンテンツを記録するセキュア領域とは別の領域（記録媒体やパーティション）で管理することとし、コンテンツとは異なる暗号化方式で該情報を暗号化しておくことが望ましい。
【００８１】
次に、前記ステップＳ９０３でセキュア領域への全コピーあるいは所定のサイズ分のコピーが終了した後、コンテンツ配信装置１００がコンテンツ受信装置１０３または１０４からネットワークを介してコンテンツリスト取得要求を受信すると（ステップＳ９０４）、内蔵の記録媒体１０２内に記録されているコンテンツに関する情報を収集する（ステップＳ９０５）。この際、セキュア領域２０８内にコピーされたコンテンツに関しても同様にコンテンツ情報を収集する。
【００８２】
そして、ステップＳ９０５で収集した情報を元にコンテンツリストを生成し（ステップＳ９０６）、最後にコンテンツ受信装置１０３または１０４に対してコンテンツリストを送信する（ステップＳ９０７）。
【００８３】
以上から、ステップＳ９０３において、光ディスク内のコンテンツをセキュア領域２０８へコピーすることによって、コンテンツ受信装置１０３と１０４から同時に光ディスク内コンテンツの配信を要求された際に、直接光ディスクからコンテンツを読み出さず、セキュア領域から読み出すことが可能である。この場合、セキュア領域に記録されたコンテンツが暗号化されたコンテンツである場合には、必要に応じて前記の認証処理を実施し、該認証処理に成功した場合のみコンテンツ配信装置とコンテンツ受信装置間で鍵情報を共有する。そして、ストレージ制御部２００は暗号化されたコンテンツを再度復号し、さらにＤＴＣＰ−ＩＰ準拠で前記鍵情報を用いて暗号化・フォーマット変換してコンテンツを送信する。この際、複数のコンテンツ受信装置から光ディスク内コンテンツの配信を要求された場合の転送速度低下の原因であるＳｅｅｋ処理の発生を防ぐことが出来る。
【００８４】
また、セキュア領域２０８に暗号化して書き込むことによって、光ディスクに記録されているコンテンツが著作権保護すべきコンテンツであっても、ユーザや特定のソフトウェア以外のソフトウェアからはセキュア領域内のコンテンツを読み出せないため、不正コピーを防止することが出来、コンテンツの著作権者の権利を守ることができる。
なお、コンテンツ配信装置１００が複数のコンテンツ受信装置に対して同時にセキュア領域の著作権保護対象コンテンツを配信する場合は、前記認証処理で共有する鍵情報をコンテンツ受信装置毎に異なる内容にする方法もある。
【００８５】
図１０も同様に図３のステップＳ３０１のコンテンツリスト生成・配信処理を詳細に説明したフローチャートである。
【００８６】
コンテンツ配信装置１００は、ステップＳ１００１で光ディスクドライブ１０１に光ディスクが装填されているか否かを調査する。もし光ディスクが光ディスクドライブ１０１内に装着されていない場合、ステップＳ１００６に遷移する。一方、光ディスクドライブ１０１に光ディスクが装填されている場合、ステップＳ１００２へ遷移し、光ディスクドライブ１０１に装填された光ディスク内のコンテンツが内蔵記録媒体１０２内のセキュア領域２０８へコピー済みかどうかを調査する（ステップＳ１００２）。光ディスク内コンテンツがセキュア領域２０８へコピー済みであった場合、ステップＳ１００６へ遷移する。光ディスク内コンテンツがセキュア領域２０８へコピーされていなかった場合、セキュア領域の残容量と光ディスク内コンテンツのファイルサイズを比較する（ステップＳ１００３）。セキュア領域の残容量が光ディスク内コンテンツのファイルサイズより小さい場合、ステップＳ１００４へ遷移する。ステップＳ１００４では光ディスクドライブ１０１に装填された光ディスク内に記録されたオリジナルのコンテンツよりも小さいファイルサイズとするために、トランスコード処理部２０７によってトランスコード処理を行い、ステップＳ１００５へ遷移する。ファイルサイズを小さくするためのトランスコード処理には、より高い圧縮率を実現する圧縮方式への変換、ビットレート変換、ダウンスケーリングなどがある。ステップＳ１００４で、セキュア領域の残容量が光ディスク内コンテンツのファイルサイズより多い場合、トランスコード処理は行わず、ステップＳ１００５へ遷移する。ステップＳ１００５において、コンテンツを内蔵記録媒体１０２内のセキュア領域２０８へコピーし、ステップＳ１００６へ遷移する。ステップＳ１００５では、コンテンツが著作権保護する必要のないコンテンツである場合には、セキュア領域以外の領域へコピーする方法でもよい。ステップＳ１００６では、コンテンツ受信装置１０３または１０４からネットワークを介してコンテンツリスト取得要求を受信する。続いて、ステップＳ１００７で、内蔵の記録媒体１０２内に記録されているコンテンツに関する情報を収集する。この際、セキュア領域２０８内にコピーされたトランスコード後のコンテンツに関しても同様にコンテンツ情報を収集する。続いてステップＳ１００８では、ステップＳ１００７で収集した情報を元にコンテンツリストを生成する。最後にステップＳ１００９でコンテンツ受信装置１０３または１０４に対してコンテンツリストを送信する。
【００８７】
ステップＳ１００４において、光ディスク内のオリジナルのコンテンツをトランスコードしてファイルサイズを縮小することによって、必要なセキュア領域の容量を小さくすることが出来、内蔵の記録媒体１０２の容量を有効に使うことが可能である。又、コンテンツのファイルサイズが小さくなることによって、コンテンツ受信装置１０３及び１０４へネットワークを介してコンテンツを配信する際にネットワークのトラフィックを小さくすることが出来、より安定した再生を可能とする。また、セキュア領域２０８へコピーすることによって、コンテンツ受信装置１０３と１０４から同時に光ディスク内コンテンツの配信を要求された場合、直接光ディスクからコンテンツを読み出さず、セキュア領域から要求コンテンツを読み出すことが出来る。この際、複数のコンテンツ受信装置から光ディスク内コンテンツの配信を要求された場合の転送速度低下の原因であるＳｅｅｋ処理の発生を防ぐことが出来る。
【００８８】
ここで、前記の説明では、前記ステップＳ１００３でセキュア領域の残容量と光ディスク内のコンテンツ・サイズを比較し、セキュア領域の残容量が光ディスク内のコンテンツ・サイズより小さい場合に、前記ステップＳ１００４で該コンテンツのトランスコードを実施しているが、ユーザによるモード設定やコンテンツ受信装置１０３／１０４の種別（モバイル端末や携帯電話）やアクセス条件（宅外からのアクセスや低品質な通信回線使用時）などによりトランスコードを実施する方法もある。
【００８９】
図１１は、ユーザが光ディスクドライブに装填されている光ディスクの取り出し操作をした場合のフローチャートである。光ディスクドライブ１０１はステップＳ１１０１において、ユーザから光ディスクのＥｊｅｃｔ要求を受け付ける。続いてステップＳ１１０２において、内蔵の記録媒体１０２内にあるセキュア領域２０８にコンテンツがあるか否かを調査する。もしセキュア領域２０８内にコンテンツがある場合、ステップＳ１１０３でセキュア領域２０８内のコンテンツがコンテンツ受信装置１０３および１０４に対して配信中か否かを調査する。配信中でないステップＳ１１０４でセキュア領域２０８内のコンテンツを削除し、ステップＳ１１０６に遷移する。ステップＳ１１０３でセキュア領域２０８内のコンテンツがコンテンツ受信装置１０３および１０４に対して配信中である場合、ステップＳ１１０５でコンテンツ配信を停止し、ステップＳ１１０６へ遷移する。
【００９０】
一方、ステップＳ１１０２において、セキュア領域２０８にコンテンツがない場合、ステップＳ１１０６へ遷移する。ステップＳ１１０６では、Ｅｊｅｃｔ処理を実行し、光ディスクの取り出しを行う。
【００９１】
ステップＳ１１０４でセキュア領域２０８内のコンテンツを削除することによって、セキュア領域２０８に存在したコンテンツが著作権保護すべきコンテンツのコピーであった場合に、コピーを削除することが出来、著作権保護を確実に行うことが可能である。ユーザからはセキュア領域内のコンテンツを読み出すことが出来ないため、コピーを削除しなくても著作権を保護することは出来るが、不要になったコンテンツは確実に削除することによって、不正コピーを防止することが出来、確実にコンテンツの著作権者の権利を守ることができる。
【００９２】
ステップＳ１１０３でセキュア領域内コンテンツが配信中の場合は、コンテンツ配信が終了するまで、Ｅｊｅｃｔを禁止する方法でも良い。
【００９３】
また、セキュア領域のコンテンツを確実に削除するため、セキュア領域内のコンテンツへのアクセスが一定時間無い場合、自動的にセキュア領域内のコンテンツを削除する方法でも良い。
【００９４】
なお、実施例１の図１〜図２で示したホームネットワーク、コンテンツ配信装置、コンテンツ受信装置の構成は、あくまで一例でありこの配置を限定するものではない。たとえば、図１２は図２のコンテンツ配信装置１００を拡張し、ストレージを搭載したＴＶを想定した場合の図である。コンテンツ配信装置１００は図２で示した構成に加えて、チューナ１２００、映像音声デコーダ１２０１、デジタル入出力制御部１２０２、アナログ入出力制御部１２０３を備える。
【００９５】
チューナ１２００はデジタル放送波を受信し、映像音声デコーダ１２０１へ入力できるフォーマットに復号し、映像音声でコーダ１２０１へ入力する。映像音声デコーダ１２０１へ入力できるフォーマットとしては、ＭＰＥＧ２やＨ．２６４などがある。また、ストレージ制御部２００と接続されており、放送コンテンツを光ディスクドライブ１０１に装填された光ディスク或いは記録媒体１０２に記録することも可能である。映像音声デコーダ１２０１では、チューナ１２００から受け取った映像音声データを復号し、デジタル入出力制御部１２０２またはアナログ入出力制御部１２０３を介して接続された表示装置に映像を再生する。デジタル入出力制御部１２０２としては、ＨＤＭＩやＤＶＩなどのケーブル・端子に対応する。また、アナログ入出力制御部としてはＲＣＡ端子やＤ端子などのケーブル・端子に対応する。
【００９６】
図１３も図１２と同様に図２のコンテンツ受信装置１０３および１０４を拡張子、ＴＶを想定した場合の図である。コンテンツ受信装置１０３および１０４は図２で示した構成に加えて、チューナ１３００を備える。それぞれの構成要素の機能は図１２と同様である。
【００９７】
また、図５、図７で示した、コンテンツ受信装置への表示例はあくまで一例であり、表示内容を限定するものではない。本発明の要旨を逸脱しなければ、構成や画面例を変更することはかまわない。また、実施例１の図３、図４、図６、実施例２の図８、実施例３の図９、図１０、実施例４の図１１のフローチャートはあくまで一例であり、処理内容を限定するものではない。処理の項目数の増減、処理の順番等は本発明の要旨を逸脱しなければ変更してかまわない。
【００９８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００９９】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０１００】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１０１】
１００・・・コンテンツ配信装置、１０１・・・光ディスクドライブ、
１０２・・・内蔵記録媒体、１０３・・・コンテンツ受信装置、
１０４・・・コンテンツ受信装置、１０５・・・ネットワーク、
２００・・・ストレージ制御部、２０１・・・再生情報生成部、
２０２・・・コンテンツ送信部、２０３・・・認証部、２０４・・・鍵生成部、
２０５・・・暗号化部、２０６・・・ネットワーク通信処理部、
２０７・・・トランスコード処理部、２０８・・・セキュア領域、
２０９・・・ネットワーク通信処理部、２１０・・・認証部、２１１・・・鍵生成部、
２１２・・・復号化部、２１３・・・再生情報取得部、２１４・・・コンテンツ受信部、
２１５・・・映像音声デコーダ、２１６・・・デジタル入出力制御部、
２１７・・・アナログ入出力制御部、５００・・・ルートコンテナ、
５０１・・・ビデオコンテナ、５０２・・・写真コンテナ、５０３・・・ＨＤＤコンテナ，
５０４・・・コンテンツ名（サッカー）、５０５・・・ＢＤ／ＤＶＤコンテナ、
５０６・・・コンテンツ名（チャプタ１）、１２００・・・チューナ、１２０１・・・映像音声デコーダ、
１２０２・・・デジタル入出力制御部、１２０３・・・アナログ入出力制御部、
１３００・・・チューナ
【図１】
2012138145.tif 000003
【図２】
2012138145.tif 000004
【図３】
2012138145.tif 000005
【図４】
2012138145.tif 000006
【図５】
2012138145.tif 000007
【図６】
2012138145.tif 000008
【図７】
2012138145.tif 000009
【図８】
2012138145.tif 000010
【図９】
2012138145.tif 000011
【図１０】
2012138145.tif 000012
【図１１】
2012138145.tif 000013
【図１２】
2012138145.tif 000014
【図１３】
2012138145.tif 000015